(57)【特許請求の範囲】
【請求項１】
平面型表示装置において、
プラズマディスプレイパネルと、
前記プラズマディスプレイパネルを動作させるための電源を生成するための電源基板と、
前記プラズマディスプレイパネルに表示される映像信号を処理するための信号処理基板と、
前記プラズマディスプレイパネルを駆動するためのＹサステイン基板と、
前記プラズマディスプレイパネルを駆動するための、前記Ｙサステイン基板よりも放熱量が少ないＸサステイン基板と、を備え、
前記電源基板、前記信号処理基板、前記Ｙサステイン基板及び前記Ｘサステイン基板が前記プラズマディスプレイパネルの背面側に配置されており、
前記プラズマディスプレイパネルを背面から見たときに、前記電源基板は、前記プラズマディスプレイパネルの中央部に配置され、前記プラズマディスプレイパネルの左右いずれか一方側に前記Ｙサステイン基板が、他方側に前記Ｘサステイン基板が配置され、かつ前記信号処理基板は、前記Ｘサステイン基板の下方であって、前記プラズマディスプレイパネルの垂直方向において前記電源基板と重ならない位置に配置されていることを特徴とする平面型表示装置。
【請求項２】
請求項１に記載の平面型表示装置において、前記信号処理基板に、前記平面型表示装置を操作するためのコントロールパネルが接続されていることを特徴とする平面型表示装置。
【請求項３】
請求項１に記載の平面型表示装置において、前記信号処理基板に、着脱可能な記録媒体が挿入されるスロット、及び該記録媒体に対して前記映像信号を書き込みもしくは読み出しを制御するための基板が積層されることを特徴とする平面型表示装置。
【請求項４】
請求項１に記載の平面型表示装置において、前記平面型表示装置の中央の下部から該平面型表示装置に流入した空気が、前記信号処理基板を経由せずに、前記電源基板に供給されることを特徴とする平面型表示装置。
【請求項５】
請求項１に記載の平面型表示装置において、前記電源基板と前記Ｙサステイン基板との間に、前記プラズマディスプレイパネルの垂直方向に延びる第１のフレームが設けられ、前記電源基板と前記Ｘサステイン基板との間に、前記プラズマディスプレイパネルの垂直方向に延びる第２のフレームが設けられることを特徴とする平面型表示装置。
【請求項６】
平面型表示装置において、
プラズマディスプレイパネルと、
プラズマディスプレイパネルを動作させるための電源を生成するための電源基板と、
前記平面型表示装置を操作するためのコントロールパネルと接続され、かつ前記プラズマディスプレイパネルに表示される映像信号を処理するための信号処理基板と、
前記プラズマディスプレイパネルを駆動するための第１サステイン基板と、
前記プラズマディスプレイパネルを駆動するための第２サステイン基板と、を備え、
前記電源基板、前記信号処理基板、前記第１サステイン基板及び前記第２サステイン基板が前記プラズマディスプレイパネルの背面側に配置されており、
前記プラズマディスプレイパネルを背面から見たときに、前記電源基板は、前記プラズマディスプレイパネルの中央部に配置され、前記プラズマディスプレイパネルの左右いずれか一方側に前記第１サステイン基板が、他方側に前記第２サステイン基板が配置され、かつ前記信号処理基板は、前記第２サステイン基板の下方に配置され、
前記電源基板、前記信号処理基板、前記第１サステイン基板及び前記第２サステイン基板とは異なる別の回路基板が、前記電源基板の下方に配置されていることを特徴とする平面型表示装置。
【請求項７】
請求項６に記載の平面型表示装置において、前記別の回路基板は、HDDユニットであることを特徴とする平面型表示装置。
【請求項８】
請求項６に記載の平面型表示装置において、前記平面型表示装置の中央の下部から該平面型表示装置に流入した空気が、前記信号処理基板を経由せずに、前記電源基板に供給されることを特徴とする平面型表示装置。
【請求項９】
請求項６に記載の平面型表示装置において、前記プラズマディスプレイパネルの背面の下端部に、アドレスドライバ回路が設けられることを特徴とする平面型表示装置。
【請求項１０】
平面型表示装置において、
プラズマディスプレイパネルと、
前記プラズマディスプレイパネルを動作させるための電源を生成するための電源基板と、
ＣＰＵを有する処理基板と、
前記プラズマディスプレイパネルを駆動するためのＹサステイン基板及びＸサステイン基板と、を備え、
前記電源基板、前記処理基板、前記Ｙサステイン基板及び前記Ｘサステイン基板が前記プラズマディスプレイパネルの背面側に配置されており、
前記プラズマディスプレイパネルを背面から見たときに、前記電源基板は、前記プラズマディスプレイパネルの中央部に配置され、前記プラズマディスプレイパネルの左右いずれか一方側に前記Ｙサステイン基板が、他方側に前記Ｘサステイン基板が配置され、かつ前記処理基板は、前記Ｘサステイン基板の下方に配置されることを特徴とする平面型表示装置。
【請求項１１】
請求項１０に記載の平面型表示装置において、前記プラズマディスプレイパネルの背面の下端部に、アドレスドライバ回路が設けられることを特徴とする平面型表示装置。
【請求項１２】
請求項１０に記載の平面型表示装置において、前記プラズマディスプレイパネルの背面の左右端部にスキャンドライバ回路が設けられることを特徴とする平面型表示装置。
【発明の詳細な説明】
【技術分野】
【０００１】
本発明は、プラズマディスプレイパネル等の表示デバイスを用いた平面型表示装置に関わり、特に放熱性の向上技術に関する。
【背景技術】
【０００２】
従来のプラズマディスプレイパネル（ＰＤＰ：Plasma Display Panel ）等の表示デバイスを用いた平面型表示装置は、一般的に、表示デバイス（以降、表示パネルと称する）の前面側に映像が表示され、背面側に、電子機械部品の多くが実装される構成となっている。従って、映像を見るユーザは、パネルの前面側からパネルの表示面を見ることになる。
【０００３】
ＰＤＰを用いた平面型表示装置では、パネルの表示面と反対の面、即ち、背面側に、電源基板、Ｙサステイン基板、Ｘサステイン基板、信号処理回路、操作基板、外部入出力基板、等を配置し、各々をＰＤＰを組み込んだ保持部材で固定する実装構造をとっている。また、各々の基板同志、及び供給電源プラグ間をケーブルで結線する。そして、最後に、保護カバーで全体を覆って平面型表示装置が構成されている。
【先行技術文献】
【特許文献】
【０００４】
【特許文献１】特開２０００−１５６５８１号公報
【発明の概要】
【発明が解決しようとする課題】
【０００５】
ＰＤＰ等の表示デバイスを用いた平面型表示装置は、近年、表示画面の大型化と薄型化が進んできている。
【０００６】
従来は、特許文献１に記載のような、薄型化に対応するために、背面側に実装した基板側の厚み方向のスペースが無くなってきており、熱対策としてファンを設けて強制的に放熱するような構造が多い。しかし、ファンを駆動させることによって発熱量が上昇することもあいまって、平面型表示装置の大型化による発熱量の増加、及び、薄型化による放熱用に確保できる流路の減少が進んでおり、それだけの対策では間に合わない現状となって来つつある。
【０００７】
また、基板が分散し、ケーブル配線長が長いと中継増幅器も必要となり、かつ流れる電流によって発生する磁界の影響で、電流自体の時間変化や電流値の増加があり、大きな駆動力の駆動回路が必要になって、更に消費電力が増す悪循環があった。
【０００８】
また、ＰＤＰを用いた表示装置では、特に、パネルから電磁波が多く発生し、電磁シールドの必要度が高い。
【０００９】
本発明の目的は、放熱用のファンを少なくし、放熱用の空気を流す流路を確保する平面型表示装置を提供することにある。
【課題を解決するための手段】
【００１０】
上記目的を達成するために、本発明は、特許請求の範囲に記載された構成を特徴とする。
【発明の効果】
【００１１】
本発明によれば、大型化して消費電力が大きな平面型表示装置であっても、効率的な放熱が可能となる。また、薄型化して放熱用の流路が取りにくい構造の平面型表示装置であっても、効率的な放熱が可能となった。
【００１２】
また、本発明の第２の効果として、信号処理回路その他基板を同一の基板としてまとめた構成としたことにより、それらの基板間でのケーブル配線が短く若しくは基板内の配線となったため、ケーブル配線の線数及びケーブル長が減少し、空きスペースが増えて放熱のための流路が確保し易くなった。また、電磁誘導の発生を少なくすることができ、消費電力及び表示装置の機能向上が可能となった。
【図面の簡単な説明】
【００１３】
【図１】本発明の平面型表示装置の一実施例の背面構成を示す図。
【図２】本発明の平面型表示装置の一実施例の前面構成を示す図。
【図３】本発明の平面型表示装置の一実施例の側面構成を示す模式的断面図。
【図４】平面型表示装置の一実施例の背面構成を示す図。
【図５】平面型表示装置の一実施例の前面構成を示す図。
【図６】平面型表示装置の一実施例の側面構成を示す模式的断面図。
【図７】本発明の平面型表示装置の背面側における冷却空気の流れの一実施例を説明するための図。
【図８】本発明の平面型表示装置のカバーに設けた吸気口と排気口の一実施例を説明するための図。
【図９】平面型表示装置の略構成を示すブロック図。
【図１０】本発明の平面型表示装置の一実施例の背面構成を示す図。
【発明を実施するための形態】
【００１４】
以下、添付図面を参照しながら本発明の実施形態を詳細に説明する。なお、各図において、共通な機能を有する構成要素には同一の参照番号を付し、説明の重複を避けるため、説明をできるだけ省略する。
【００１５】
図１〜図６は、ＰＤＰを表示デバイスとした平面型表示装置の構成を示す図である。図４〜図６は、放熱性等が悪い構成を説明する図で、図１〜図３は放熱性等を改善した配置
を説明する図である。
【００１６】
図４は平面型表示装置のカバーを取り除いて背面から見た図、図５は図４の平面型表示装置の前面側から見た図、図６は図４の平面型表示装置の側面からみた模式的な断面図である。４００は平面型表示装置、１０１はＰＤＰ表示デバイス等の表示パネル、１０２はパネルを囲んで保持する枠フレーム、１０３と１０４は枠フレームに取り付けて梁として垂直方向の補強を行うメインフレームである。メインフレーム１０３と１０４によって、図４に示すように、パネル１０１の背面側は、横方向に、左側部、中央部、及び右側部に別れた配置場所ができている。
【００１７】
また、１０５は表示パネル１０１の背面の中央部に実装された電源基板、１０６は表示パネル１０１の背面の左側部に実装されたＹサステイン基板、１０７はパネル１０１の背面の右側部に実装されたＸサステイン基板、４０９は表示パネル１０１の背面の中央部であって電源基板１０５の下方に実装された信号処理基板、１１０は表示パネル１０１の背面の中央部であって電源基板１０５の下方に実装されたＨＤＤ（ Hard Disk Drive ）ユニット、４１１は表示パネル１０１の背面の中央部の電源基板１０５と信号処理基板４０９の下方に実装されたコントロール基板、１１２は平面型表示装置４００を据置きするためのスタンド、１０１′はユーザが見るための映像が表示される表示パネル前面、４１４はパネル前面１０１′にありユーザが平面型表示装置１００を操作するためのコントロールパネル、４１６は表示パネル１０１の背面の中央部の電源基板１０５と信号処理基板４０９の下方に実装されたリムーバルメディアをそのスロットに装着して記録若しくは再生するための外部記憶装置、４１３は平面型表示装置１００を保護するためのカバー、１１５はカバー４１３をメインフレーム１０３及び１０４に固定するための取付金具である。
【００１８】
なお、ＨＤユニット１１０は、特にＨＤＤ（ Hard Disk Drive ）である必要はなく他の記憶装置でも良いし、また、実装しない場合もある。また、外部記憶装置４１６は、ＤＶＤ（ Digital Versatile Disc ）や半導体メモリ記録装置等であるが、実装しない場合もある。
【００１９】
図４〜図６では、各基板間を電気的に接続するための配線ケーブルは煩雑なため省略して図示していない。また、機械的に、取り付け、実装、固定、若しくは保持するためのネジやネジ穴等も煩雑なため省略して図示していない。また同様に、電源基板１０５、Ｙサステイン基板１０６、Ｘサステイン基板１０７、及び信号処理基板４０９には、パワートランジスタ、ＣＰＵ（ Central Processing Unit ）等の発熱素子から直接放熱させるための放熱フィンが複数取付られている。しかし、これらの放熱フィンは図４の平面型表示装置４００の背面図では、上述した基板上にあり、かつ図６の模式的断面図の場合には、図示すると、他の構成要素が判別できにくくなるため、省略した。また、強制冷却するための送風ファンも所々に実装されている。しかし、図示すると煩雑なため省略している。
【００２０】
図４〜図６において、カバー４１３の上部と下部には、放熱用の空気を通すための通風口が開けられている。そして、送風ファンが稼働していない場合でも、平面型表示装置４００内で熱せられた空気は、カバー４１３の上部の通風口から逃げ、下部から空気が供給される。
【００２１】
しかし、発熱量が一番大きい電源基板１０５の下には、信号処理回路４０９とＨＤＤユニット１１０があり、かつその下には、コントロール基板４１１が実装されている。特に、コントロール基板４１１は、カバー４１３の中央部の下部に開けられた通風口をさえぎる形で取り付けられている。このため、吸気力が弱く、図示しない送風ファンの力を借りて強制冷却する必要が発生する。また、各基板間には、図示しない配線用のケーブルが水平方向に多数設けられている。これらの配線ケーブルも通風の妨げとなって、十分な放熱性が得られない。
【００２２】
また、同様に、２番目に発熱量の大きいＹサステイン基板１０６の下には外部記憶装置４１６が実装されているため、やはり冷却用お流路をさえぎる。
【００２３】
また更に、このように、基板、ユニット、及び記憶装置等が分離されて配置されているため、それらを結ぶケーブルの配線長が大であって、かつ、配線数が多い。このため、上述の冷却のための流路の妨げとなる他、電流が流れた場合には、電磁誘導により、更に表示装置の特性の劣化が起きる可能性がある。このため、ＥＭＩ（ Electro Magnetic Interference ）対策のため、電磁シールド板やフェライトを設けていた。このようなシールド板やフェライトの実装も、放熱用の流路の妨げとなっている。また、製造コストを上げる原因でもある。
【００２４】
上述の図４〜図６で説明したような平面型表示装置の構成では、放熱の観点及び磁気シールドの観点から、良い効果が得られにくい。そこで、その対策としての、本発明の一実施例について、図１〜図３で説明する。
【００２５】
図１は平面型表示装置のカバーを取り除いて背面から見た図、図２は図１の平面型表示装置の前面側から見た図、図３は図１の平面型表示装置の側面からみた模式的な断面図である。
【００２６】
１００は平面型表示装置である。また、１０８は表示パネル１０１の背面の右側部において枠フレーム１０２とメインフレーム１０４とに架けられ水平の梁となる支フレーム、１０９は支フレーム１０８及びメインフレーム１０４並びに枠フレーム１０２に保持され実装された信号処理基板、コントロール基板、及び外部記憶装置をまとめた構成としたモジュール基板、１１３はカバー、１１４はモジュール基板１０９の近傍に取り付けられたコントロールパネルである。なお、コントロールパネル１１４は、図３では図示できない、モジュール基板１０９に接する右側面側に取付けている。また、ＨＤユニット１１０は、特にＨＤＤ（ Hard Disc Drive ）である必要はなく他の記憶装置でも良いし、また、実装しない場合もある。上記信号処理基板１０９は、表示パネル１０１に表示される映像信号について、例えばコントラスト補正処理、色補正処理、フレームレート変換、インターレース−プログレッシブ走査変換等の各種信号処理を施すものである。
【００２７】
図１〜図３では、各基板間を電気的に接続するための配線ケーブルは煩雑なため省略して図示していない。また、機械的に、取り付け、実装、固定、若しくは保持するためのネジやネジ穴等も煩雑なため省略して図示していない。また同様に、電源基板１０５、表示パネル０１を駆動するための第１の駆動基板であるＹサステイン基板１０６、同じく表示パネル０１を駆動するための第２の駆動基板であるＸサステイン基板１０７、及びモジュール基板１０９には、パワートランジスタ、ＣＰＵ（ Central Processing Unit ）等の発熱素子から直接放熱させるための放熱フィンが複数取付られている。しかし、これらの放熱フィンは図１の平面型表示装置１００の背面図では、上述した基板上にあり、かつ図３の模式的断面図の場合には、図示すると、他の構成要素が判別できにくくなるため、省略した。なお、強制冷却するための送風ファンは、この実施例では実装していない。
【００２８】
図１〜図３において、カバー１１３の上部と下部には、放熱用の空気を通すための通風口が開けられている。そして、平面型表示装置１１０内で熱せられた空気は、カバー１１３の上部の通風口から逃げ、下部から空気が供給される。
【００２９】
本実施例では、図示からも明らかなように、表示パネル１０１の背面の中央部に、該表示パネル１０１を動作させるための電源（すなわちＹサステイン基板１０６、Ｘサステイン基板１０７への電源や、その他信号処理基板１０９等に供給する電源）を生成するための、発熱量が最も大きい電源基板１０５が配置されている。その電源基板１０５の下には、ＨＤＤユニット１１０の他、冷却用、若しくは放熱用の流路の妨げとなる基板並びに突起物及び遮蔽物は何も実装されていない。従来では、例えば特許文献１のように、電源基板の下側に信号処理基板などが配置されており、表示パネルの中央部において上下並んで電源基板、信号処理基板が配置されていたが、本実施例では、信号処理基板１０９を、表示パネル１０１の中央ではなく、表示パネル１０１の水平方向の左右いずれか一方側に、信号処理基板１０９を、表示パネル１０１の垂直方向において電源基板１０５と重ならない位置に配置している。換言すれば、電源基板の左辺及び右辺をそれぞれ垂直方向に延ばした直線で囲まれる領域内に、信号処理基板１０９が位置しないようにしている。従って、平面型表示装置の中央部の下部からこの表示装置に流入される空気は信号処理基板１０
９を経由せずに（つまり信号処理基板１０９によって妨げまたは乱されることなく）、電源基板１０５には、順調な冷却用の空気が流れるため、効率良く放熱される。また、信号処理基板とコントロール基板と外部記憶装置をまとめモジュール基板１０９の構成とし、それらを結線していたケーブル配線数を減少させ、かつ、電源基板１０５の下を通るケーブルも減少しているため、順調な冷却用の空気が流れるため、電源基板１０５は効率良く放熱される。また、ケーブルの配線数の減少と、配線長の減少によって、電磁誘導による表示装置の特性の劣化を抑えることができる。また、ＥＭＩ対策のための、電磁シールド板やフェライトの実装も極力少なくすることができ、製造コストを低減することができる。
【００３０】
また、本実施例では、放熱がＸサステイン基板１０７よりも比較的大きいＹサステイン基板１０６とは反対側、すなわちＸサステイン基板１０７の下部に信号処理基板１０９を配置している。これにより、信号処理基板１０９を、Ｙサステイン基板１０６から熱的に保護することができ、また表示装置下部から流入される冷却空気を信号処理基板１０９により妨げること無くＹサステイン基板１０６に流すことができる。またＹサステイン基板１０６は放熱が比較的大きいために放熱フィンが多く設けられており、Ｘサステイン回路に比べ回路面積が大きいため、空間的に配置が容易なＸサステイン基板１０７側に信号処理基板１０９を配置している。
【００３１】
また、Ｘサステイン基板１０７側の下部に、信号処理回路１０９以外の回路を配置しても良い。例えば、リムーバブルＨＤＤなどの記録媒体が挿入されるスロット、及び該記録媒体に対して映像信号を書き込みもしくは読み出しを制御するためのリムーバブルＨＤＤ用コントロール基板を、信号処理回路１０９上に積層する（つまり表示パネル１０１の主平面と直交する方向に積み重ねる）ようにしてもよい。当然、他の回路基板を信号処理回路１０９、リムーバブルＨＤＤ用コントロール基板上に積層するようにしてもよい。
【００３２】
図７は、図１〜図３の実施例の構成において、ＨＤＤユニット４１０を実装していない平面型表示装置４００′における冷却用の空気の流路を説明する模式図である。平面型表示装置４００′のカバー１１３の下部には、図示しない吸気口が複数開けられ、上部には、図示しない排気口が複数開けられている。流路を矢印で示し、線が太い矢印の方が細い矢印より、空気の流れる量が多く、矢印の本数が多い場合も流量が多いものである。この例においても、信号処理基板１０９は、Ｘサステイン基板１０７の下側であって、電源基板１０５と表示パネル１０１の垂直方向において重ならない位置に配置されている。
【００３３】
図７に示すように、電源基板１０５の上（紙面では手前側）の図示しない冷却用のフィンを通る空気の流量が一番多くなる。
【００３４】
なお、図７の円７００で囲んだ図は、図７の基板を上若しくは下から見た模式的断面図である。図７のフィンの放熱用フィンにパワートランジスタ等の発熱素子が実装され、放熱フィンの間を空気が黒点方向に通過する。黒点は、図７の矢印の線の断面である。
【００３５】
なお、上述の実施例では、Ｙサステイン基板が左側部、Ｘサステイン基板が右側部に実装されている。しかし、左右は相対的なものであり、Ｙサステイン基板を右側部、Ｘサステイン基板を左側部に実装しても良いことは勿論である。
【００３６】
図８は、図１〜図３の実施例の構成において使用する、カバー１１３の一実施例を説明するための図である。カバー１１３全面には、円形の通気口が無数に開けられている。特に、カバー１１３の下部には、吸気口８１１、８１２、８１３が設けられ、上部には排気口８２１、８２２、８２３が設けられている。また、それ以外の場所にも適宜通気口を空けて冷却用の空気の流通を促し、冷却性能を向上させている。
【００３７】
図８の実施例では、円形の穴を複数開けているが、形状及びサイズはどのようなものでも良く、異なる形状及びサイズの開口を組み合わせても良い。また、平面型表示装置には、持ち運ぶための取手に用いる開口部や固定のための開口部が備えられている。これらの開口を冷却用の空気の通風口として用いても良い。
【００３８】
図９は、ＰＤＰ等の表示デバイスを用いた平面型表示装置の略構成を示すブロック図である。９００はＰＤＰ等の表示デバイス（パネル９０１）を用いた平面型表示装置、９０１はパネル、９１０は制御ユニット部、９２０は表示ユニット部、９１１はコントロール回路、９１２は電源回路、９２１はＹサステインパルス発生器、９２２はＸサステインパルス発生器、９２３はレベルシフト回路、９２４はスキャンドライバ、９２５はアドレスドライバである。
【００３９】
図９において、スキャンドライバ９２４は、サブフィールド毎にパネル９０１の全Ｙ電極を走査駆動する。アドレスドライバ９２５は画像信号に対応したタイミングのアドレスパルス電圧を形成し、そのアドレスパルス電圧でアドレス電極を駆動してサブフィールド毎にパネル９０１の表示セルをアドレスする。Ｘサステインパルス発生器９２２は、Ｘ電極を駆動するためのサステインパルスを発生する。Ｙサステインパルス発生器９２１はＹ電極を駆動するためのサステインパルスを発生する。レベルシフト回路９２３はホトカプラである。コントロール回路９１１は、Ｙサステインパルス発生器９２１、Ｘサステインパルス発生器９２２、レベルシフト回路９２３、スキャンドライバ９２４、及び、アドレスドライバ９２５を制御する。電源回路９１２は、ＤＣ／ＤＣコンバ−タを備えて、平面型表示装置９００の各構成要素に電力を供給する。
【００４０】
図９の各構成要素を図１で説明した実装基板の構成に関連付けると、表示パネル９０１が表示パネル１０１、コントロール回路９１１がモジュール基板１０９、電源回路９１２が電源基板１０５、Ｙサステインパルス発生器９２１がＹサステイン基板１０６、Ｘサステインパルス発生器９２２がＸサステイン基板１０７、レベルシフト回路９２３がＹサステイン基板１０６に実装されているといえる。また、スキャンドライバ９２４とアドレスドライバ９２５は図１には図示していない。
【００４１】
スキャンドライバ９２４とアドレスドライバ９２５とを図１に追加して図示した実装図を図１０に示す。図１０に示すように、表示パネル１０１の両サイドにスキャンドライバ１００１と１００２が実装され、表示パネル１０１の下側にアドレスドライバ１００３が実装される。
【００４２】
上述の実施例のように、大型化して消費電力が大きな平面型表示装置であっても、また、薄型化して放熱用の流路が取りにくい構造の平面型表示装置であっても、空冷用の空気が流れ易い構造にできるため、効率的な放熱が可能となる。
【００４３】
また、信号処理回路その他基板を同一の基板としてまとめた構成としたことにより、それらの基板間でのケーブル配線が短く若しくは基板内の配線となったため、ケーブル配線の線数及びケーブル長が減少し、空きスペースが増えて放熱のための流路が確保し易くなった。
【００４４】
更に、電磁誘導の発生を少なくすることができ、消費電力及び表示装置の機能向上が可能となった。
【符号の説明】
【００４５】
１００：平面型表示装置、  １０１：パネル、  １０１′：パネル前面、  １０２：枠フレーム、  １０３、１０４：メインフレーム、  １０５：電源基板、  １０６：Ｙサステイン基板、  １０７：Ｘサステイン基板、  １０８：支フレーム、  １０９：モジュール基板、  １１０：ＨＤＤユニット、  １１２：スタンド、  １１３：カバー、  １１４：コントロールパネル、  １１５：取付金具、  ４００：平面型表示装置、  ４０９：信号処理基板、  ４１１：コントロール基板、  ４１３：カバー、  ４１４：コントロールパネル、  ４１６：外部記憶装置、  ８１１、８１２、８１３：吸気口、  ８２１、８２２、８２３：排気口、  ９００：平面型表示装置、  ９０１：パネル、  ９１０：制御ユニット部、  ９２０：表示ユニット部、  ９１１：コントロール回路、  ９１２：電源回路、  ９２１：Ｙサステインパルス発生器、  ９２２：Ｘサステインパルス発生器、  ９２３：レベルシフト回路、  ９２４：スキャンドライバ、  ９２５：アドレスドライバ、  １００１、１００２：スキャンドライバ、  １００３：アドレスドライバ。
【図１】
0005358717.tif 000002
【図２】
0005358717.tif 000003
【図３】
0005358717.tif 000004
【図４】
0005358717.tif 000005
【図５】
0005358717.tif 000006
【図６】
0005358717.tif 000007
【図７】
0005358717.tif 000008
【図８】
0005358717.tif 000009
【図９】
0005358717.tif 000010
【図１０】
0005358717.tif 000011